(57)【特許請求の範囲】
【請求項１】
電気機器の移動により接離される断路部をシャッタ板の上下動により開放または閉止するシャッタ装置において、
開口より内幅が広いＣ形断面を有し前記開口を前面側に向けて上下方向に延在して前記断路部の両側に互いに平行して配置した案内レールと、前記断路部両側に配置した案内レールに沿って前記断路部の前面側を上下動し前記断路部を開放又は閉止するシャッタ板と、ほぼ垂直状態でかつシャッタ側に傾けた状態に起立させ前記電気機器の位置に応じて動作するレバーにより上下駆動されるとともに先端部が前記シャッタ板の開口部を貫通して前記シャッタ板を支持する接続リンクとを備え、
前記シャッタ板は、シャッタ板の左右側に装着され前記案内レールの前記内幅面に当接し回動する複数のローラ（２８b）を備え、シャッタ板の左右側のうち少なくとも一方の側のローラ（２８b）はシャッタ板の上下に分散して配置しかつシャッタ板が水平になるように前記案内レールの内幅寸法に合せて前記ローラ（２８b）の取付ピッチを左右にずらすとともに、前記接続リンクの先端にローラ(２８ａ)を取り付け前記案内レールの前記開口を通して挿入し前記案内レール内面に当接して上下動させるようにしたことを特徴とする閉鎖配電盤のシャッタ装置。
【発明の詳細な説明】
【０００１】
【発明の属する技術分野】
この発明は閉鎖配電盤内に配された遮断器等の電気機器の押し込み及び引出し時に、接続または断路される断路部を開放または閉止するシャッタ装置に関する。
【０００２】
【従来の技術】
閉鎖配電盤内に収納される遮断器は、その保守、点検を容易化するため、夫々の収納室の前方からの押し込み及び引き出し操作により、収納室の背面に設けた断路部に対して接離可能とした引出し形として構成されることが多い。
【０００３】
このような引出し形の遮断器を備える閉鎖配電盤においては、遮断器の引き出し時において前記断路部の充電部位が外部に露出することを防ぐべく、前記断路部の前面を覆うシャッタ板が設けられており、このシャッタ板は、遮断器の引き出し又は押し込み操作に応じて動作し、引き出し時に断路部を閉止し、押し込み時に断路部を開放する構成となっている。
【０００４】
以上の如くシャッタ板を開閉動作させるためのシャッタ装置は、特開昭５２−８５３４２号公報、特開昭５４−７１３４５号公報等に開示されている。シャッタ板により開閉される断路部は、上下に所定の絶縁距離を隔てて配設されており、特開昭５２−８５３４２号公報に開示されたシャッタ装置は、上下の断路部を開閉するシャッタ板が、その開放時において両断路部間に集められる構成となっているのに対し、特開昭５４−７１３４５号公報に開示されたシャッタ装置は、上部のシャッタ板は引き上げにより、下部シャッタ板は押し下げにより夫々の断路部を開放する構成となっており、上下の断路部間の離隔距離が短い場合においても適用可能な後者の構成が多く採用されている。
【０００５】
このようなシャッタ装置においては、上下のシャッタ板の夫々に対し、これらの押し上げ及び押し下げ操作のためのレバーまたはリンク機構を構成し、断路部の接続のために遮断器が押込まれたとき、この遮断器の一部との当接により生じる前記レバーまたはリンク機構の動作によりシャッタ板を移動させて断路部を開放する一方、断路部の遮断のために遮断器が引き出されたとき、前記当接の解除に伴う前記レバーまたはリンク機構の動作によりシャッタ板を移動させて断路部を閉止するようにしてある。
【０００６】
図９及び図１０は、断路部の開放時に押し上げが必要なシャッタ板を備えるシャッタ装置の代表的な構成を示す側面図である。図示の如く、引き出し形の遮断器１は、台車１０上に搭載され、該台車１０と共に前後（図における左右）に移動可能に遮断器室２に収納されている。遮断器室２の後壁２０には、上下に所定の絶縁距離を隔てて一対の断路部２１、２２が設けてあり、これらの断路部２１、２２は、遮断器室２内において遮断器１が、図９に示す接続位置にまで押し込まれることにより、該遮断器１の後面に突出する接触子１１、１２との係合により接続され、図１０に示す如く、遮断器１が断路位置にまで引き出されることにより、前記接触子１１、１２の離脱により断路されるようになっている。
【０００７】
上側の断路部２１の前位置には、シャッタホルダ３０がガイドピン２３に沿って上下動自在に配してあり、最上部にはシャッタ板３ａが固設してある。
【０００８】
シャッタホルダ３０の下部は接続リンク４により、遮断器１の移動経路の一側に配された当接レバー５に連繋させてある。
【０００９】
当接レバー５は、その一端部に固設された当接片５０を支軸５１により揺動自在に支持し、遮断器１の移動経路の一側に前後方向に延設してあり、その後端は接続リンク４を介してシャッタホルダ３０に連結されている。前記当接片５０には、支軸５１のやや後側に遮断器１の移動経路に向けて当接ピン５２が突設されており、遮断器１の同側側面には、前記当接ピン５２と上下位置を合わせて押し板１３が設けてある。
【００１０】
以上の如く構成されたシャッタ装置において、図９に示す如く、遮断器１が接続位置にあるとき、該遮断器１に設けられた押し板１３が前記当接ピン５２の下側から当接し、該当接ピン５２を上方に押し上げた状態となり、この押し上げにより当接レバー５が、支軸５１回りの揺動により後端を上向きとして傾斜し、接続リンク４を介してシャッタホルダ３０が上方に移動し、これに固設されたシャッタ板３ａは遮断器室２の上方へ移動し、上部の断路部２１は開放され、図示の如く、遮断器１の後側に突設された接触子１１との係合状態が得られる。
【００１１】
この状態において遮断器１が、図１０に示す如く断路位置まで引き出された場合には、この引き出しに伴って位置を変える押し板１３と当接ピン５２との当接が解除され、該当接ピン５２に押し上げ力が作用しなくなる結果、シャッタホルダ３０及びこれに固設されたシャッタ３ａは自重により降下し、前記断路部２１の前側が覆われた状態となり、該断路部２１が閉止される。
【００１２】
一方、当接レバー５はシャッタホルダ３０の降下に伴って、接続リンク４と共に自重により後端を下向きとして支軸５１回りに揺動し、この揺動に伴って当接ピン５２は、次なる遮断器１の押し込みに際して前記押し板１３との当接可能な位置に移動する。
【００１３】
【発明が解決しようとする課題】
ところが、以上の如く構成されたシャッタ装置においては、シャッタホルダ３０の上下動をガイドピン２３とシャッタホルダ３０のガイド用長穴３２のスライド部のすべり摩擦によって行っているため、遮断器１を接続位置方向に押し込む際のシャッタホルダ３０及びシャッタ板３ａを上方に押し上げるときに過大な駆動力を必要とし、円滑な上下動作ができないため摩擦力の増大による断路部の開放または閉止不良が発生する可能性があるという問題があった。
【００１４】
また、シャッタ板３ａは片持ちでシャッタホルダ３０に固設されているため、シャッタ板３ａの自重でシャッタホルダ３０が傾くことになり、シャッタ板３ａの水平が保てなくなると共に、シャッタホルダ３０とガイドピン２３との摩擦が増大し、これらを押し上げる駆動力が更に増大し、円滑な上下動作ができなくなるという問題があった。
【００１５】
本発明は斯かる事情に鑑みてなされたものであり、断路部を開放又は閉止するシャッタ板の押し上げ又は押し下げをシャッタホルダとガイドピンのすべり摩擦によっておこなうことなく実現し、シャッタ板の上下動作に必要な駆動力を軽減し、長期に亘って円滑な動作をすることができるシャッタ装置を提供することを目的とする。
【００１６】
【課題を解決するための手段】
請求項１の発明に係る閉鎖配電盤のシャッタ装置は、シャッタ板の開口部に電気機器の位置に連繋して、シャッタ板を押し上げまたは押し下げるレバーまたはリンク機構に接続されたリンクを貫通させてシャッタ板を支持させ、そのリンク先端には案内レール内でローラを取り付け、シャッタ板にも案内レール側面に合わせてローラを設けたものである。
【００１７】
本発明においては、電気機器の位置に連繋して動作するレバーまたはリンク機構の後端に連結されたリンクの先端が案内レール内を上下動するに伴い、貫通支持されているシャッタ板もリンクと共に案内レール側面を上下動し、断路部を開放または閉止する。
【００１８】
請求項２の発明に係る閉鎖配電盤のシャッタ装置は、シャッタ板の開口部をリンクが貫通して支持する側のシャッタ板のローラを、案内レールの内幅寸法に合わせ取付穴ピッチを左右にずらして取り付けるようにしたものである。
【００１９】
この発明においては、シャッタ板のリンクが貫通している側の上下のローラが、取付ピッチの左右のずれにより案内レールの左右の側面に夫々のローラが接触し案内レール側面を真っ直ぐに上下動することになる。
【００２０】
請求項３の発明に係る閉鎖配電盤のシャッタ装置は、断路部の閉止時に引き上げが必要なシャッタ装置において、上下自在に前後に重ねて配されるシャッタ板の上部シャッタ下方の両側に、長穴を設けた下部シャッタを上下動自在に吊り下げるようにしたものである。
また、請求項４の発明は、この一対の上下のシャッタ板の上下動自在とする長穴のスライド部にローラを設置したものである。
【００２１】
この発明においては、シャッタ板が上方に移動する時は上部シャッタに吊り下げられて移動し、上下のシャッタ板相互間にオーバーラップ部を有して引き上げられることになる。また、シャッタ板が下方に移動する時は、下側のシャッタ板がストッパ等で静止してから上側のシャッタ板が前後に重なった状態で下降することになる。
【００２２】
【発明の実施の形態】
以下本発明をその実施の形態を示す図面に基づいて詳述する。図１及び図２は、本発明に係るシャッタ装置の構成を示す側面図である。図中１は、引き出し形の電気機器としての遮断器であり、該遮断器１はこれを搭載する台車１０と共に前後（図における左右）方向への移動可能に遮断器室２に収納されている。
【００２３】
遮断器室２の後壁２０には、上下に所定の絶縁距離を隔てて一対の断路部２１、２２が、接続用の開口を前方に向けて設けてある。一方遮断器１の後面には断路部２１、２２の夫々と対応する位置に接触子１１、１２が突設されており、前記断路部２１、２２は、図１に示す如く、遮断器室２内において遮断器１が接続位置にまで押し込まれることにより、前記接触子１１、１２の夫々と係合して接続され、また図２に示す如く、遮断器１が断路位置にまで引き出されることにより、この引き出しに伴う前記接触子１１、１２の離脱により断路されるようになっている。
【００２４】
上側及び下側の断路部２１、２２の前位置のフレーム２５の両側には、一対の案内レール２６が固設されており、図３及び図４（後述する）に示す如く案内レール２６内にはシャッタ板３ａを貫通したリンク４の先端の両側にピン２７でローラ２８ａが回転自在に設置されている。リンク４及びローラ２８ａは案内レール２６の内幅寸法より短く、案内レール前面の開口幅より長いピン２７により前方に抜けることはない。
【００２５】
前部の接続リンク４の下端は、図９、図１０に示す従来のシャッタ装置と同様、当接レバー５に連繋させてある。
【００２６】
また、当接レバー５は、その一端に当接片５０を備えており、遮断器室２の側壁に内向きに突設された略水平な支軸５１により、前記当接片５０の一部を揺動自在に支持し、遮断器室２の床面近傍に、遮断器１の移動経路の一側に面して前後方向に延設されている。前記当接片５０には、支軸５１のやや後側に遮断器１の移動経路に向けて当接ピン５２が突設されており、遮断器１の同側側面には、前記当接ピン５２と上下位置を合わせて押し板１３が設けてある。
【００２７】
以上の如く構成されたシャッタ装置において、図１に示す如く、遮断器１が接続位置にあるときは、図９に示す従来のシャッタ装置の場合と同様に、前記遮断器１に設けられた押し板１３が前記当接ピン５２の下側から当接し、該当接ピン５２を上方に押し上げることとなり、この押し上げにより当接レバー５が、支軸５１回りの揺動により後端を上向きとして傾斜し、リンク４は上方へ押し上げられることになり、リンク４は上端のローラ２８ａが案内レール２６上を回転しながら上方へ移動する。
【００２８】
これにより、シャッタ板３ａは開口部にリンク４が貫通して、支持されているのでリンク４の上下動に伴って動作し、断路部を開放または閉止することができる。
【００２９】
また、図１及び図２のばね２９は、押し板１３と当接ピン５２との当接による押し上げ力を補助し、またシャッタ板３ａが自重により下方に落下する時の衝撃を緩和するものである。
【００３０】
図３及び図４は本発明に係るシャッタ装置の一部平面図及び部分拡大図である。
【００３１】
図５は他の実施の形態を示す部分拡大図である。シャッタ板３ａの右側の開口部にリンクが貫通し支持される側の上下のローラ２８ｂは，案内レール２６の内幅寸法に合わせてローラ２８ｂの取り付けピッチをシャッタ板３ａが水平になるように左右にＡ寸法だけずらしてある。他方のローラ２８ｂについてはシャッタ板３ａが案内レール２６から抜け出ることを防止するために設置している。
【００３２】
図６及び図７は他の実施の形態の部分拡大図である。上下自在に前後に重ねて配されるシャッタ板３ｂ、３ｃにおいて、上部のシャッタ板３ｂの下方の両側に長穴を設けた下部のシャッタ板３ｃを上下動自在となるように吊り下げたものである。図６はシャッタ板３ｂ、３ｃが上方に移動する時に引き上げられた状態を示し、図７はシャッタ板３ｂ、３ｃが下降した時に、前後に重なった状態を示している。
【００３３】
また、図８は他の実施の形態を示す部分拡大図で、前記の下部シャッタ３ｃの長穴のスライド部分にローラ２８ｃを設置したものである。
【００３４】
【発明の効果】
以上詳述した如く請求項１の発明に係る閉鎖配電盤のシャッタ装置においては、断路部を開放または閉止するために上下動するシャッタ板及びリンク上部の係合動作部分にローラを配したことにより、動作部分はころがり摩擦となりシャッタの押し上げ及び押し下げが円滑になり、シャッタ板の上下動に必要な駆動力を大幅に軽減することができることとなり、シャッタ板の開放または閉止不良の発生を防止することができる。
【００３５】
また、請求項２の発明に係る閉鎖配電盤のシャッタ装置においては、シャッタ板を水平に保つことができ、案内レールの内側側面に沿って垂直に上下動するため、リンクには曲げ荷重が作用せず、前記と同様の効果をさらにますことができる。
【００３６】
請求項３の発明に係る閉鎖配電盤のシャッタ装置においては、一対のシャッタ板を上部シャッタ板に下部シャッタ板を吊り下げるという方法としたので、別個のシャッタホルダを設ける必要がなく、構成部品の削減ができる。
【００３７】
また、請求項４の発明に係る閉鎖配電盤のシャッタ装置においては、下シャッタのスライド部にローラを設置したことにより、下部シャッタの復帰不良の発生を確実に防止することができる。
【図面の簡単な説明】
【図１】本発明に係るシャッタ装置の構成を示す側面図である。
【図２】本発明に係るシャッタ装置の構成を示す側面図である。
【図３】本発明に係るシャッタ装置の部分拡大の平面図である。
【図４】本発明に係るシャッタ装置の部分拡大の側面図である。
【図５】本発明に係るシャッタ装置の他の実施の形態を示す正面図である。
【図６】本発明に係るシャッタ装置の他の実施の形態を示す正面図である。
【図７】本発明に係るシャッタ装置の他の実施の形態を示す正面図である。
【図８】本発明に係るシャッタ装置の他の実施の形態を示す部分拡大の平面図である。
【図９】従来のシャッタ装置の構成を示す側面図である。
【図１０】従来のシャッタ装置の構成を示す側面図である。
【符号の説明】
１  遮断器、３ａ、３ｂ、３ｃ  シャッタ板、４  接続リンク、５  当接レバー、１０  台車、１１、１２  接触子、２１、２２  断路部、２６  案内レール、２７  ピン、２８ａ、２８ｂ、２８ｃ  ローラ。
【図１】
0003704929.tif 000002
【図２】
0003704929.tif 000003
【図３】
0003704929.tif 000004
【図４】
0003704929.tif 000005
【図５】
0003704929.tif 000006
【図６】
0003704929.tif 000007
【図７】
0003704929.tif 000008
【図８】
0003704929.tif 000009
【図９】
0003704929.tif 000010
【図１０】
0003704929.tif 000011